(57)【要約】 【課題】組付作業性が良く、ハウジングの上下寸法を小さくすることができ、しかも後方側ユニット単体での取り扱いを良好にする。【解決手段】入賞装置５は、前方側ユニットＦＵと後方側ユニットＲＵを備える。前方側ユニットＦＵは、台板１０と回動翼片３０を備える。後方側ユニットＲＵは、ソレノイド４０（駆動アクチュエータ）と、ソレノイド４０の駆動力を回動翼片３０へ伝達する伝達部材５０と、ソレノイド４０および伝達部材５０を収容するハウジング６０とを備える。ハウジング６０は、ベース体６１と蓋体８１とを上下に組み合わせてなる。蓋体８１にコイル部４１とケース４３（駆動アクチュエータの本体）が縦置きに配置され、伝達部材５０がプランジャ４２に連結された状態でベース体６１が組み合わされることにより、ソレノイド４０と伝達部材５０がそれぞれハウジング６０内の予め定められた位置に配置される。【選択図】図４
2010268898.tif 000002
【特許請求の範囲】
【請求項１】
遊技機の遊技盤に固定される台板と、該台板の前方に前記遊技盤と交差する軸線回りに回動可能に支持されて遊技球の入球のし易さを可変させる一対の回動翼片とを有する前方側ユニットと、該前方側ユニットの後方に一体的に取り付けられる後方側ユニットとを備えた遊技機用可変入賞装置において、
前記後方側ユニットは、直線移動可能なプランジャを有する駆動アクチュエータと、
前記回動翼片と前記プランジャとを連結し、該プランジャの直線移動を該回動翼片の回転移動に変換しつつ前記駆動アクチュエータの駆動力を該回動翼片へ伝達する伝達部材と、
前記駆動アクチュエータおよび前記伝達部材を収容するハウジングとを備え、
前記ハウジングは、ベース体と、該ベース体の上部を覆う蓋体とを上下に組み合わせてなり、該ベース体および該蓋体のうちの一方に前記プランジャが上下方向に直線移動可能となるよう前記駆動アクチュエータが縦置きに配置され、前記伝達部材が該プランジャに連結された状態で該ベース体および該蓋体のうちの他方が組み合わされることにより、前記駆動アクチュエータおよび前記伝達部材がそれぞれ該ハウジング内の予め定められた位置に配置されることを特徴とする遊技機用可変入賞装置。
【請求項２】
前記前方側ユニットには、前記回動翼片を含んで構成される入賞口が設けられ、その入賞口に対応して前記ベース体には、入賞した遊技球を該ベース体の外部へ排出するための排出部が形成されており、前記蓋体の内側部には、前記ベース体と組み合わされる前の該蓋体をその外側部が下側に、その内側部が上側に位置するように配置した状態で、前記プランジャを上側とした前記駆動アクチュエータの本体を収容する収容部が設けられており、該駆動アクチュエータの本体が該収容部に収容されることで、前後および左右方向にて位置決めされる請求項１に記載の遊技機用可変入賞装置。
【請求項３】
前記蓋体の内側部には、前記収容部に収容された前記駆動アクチュエータのプランジャに前記伝達部材を連結させた状態で、該伝達部材の前後方向の移動を規制する移動規制部が設けられている請求項２に記載の遊技機用可変入賞装置。
【請求項４】
前記駆動アクチュエータおよび前記伝達部材が組み込まれた前記蓋体に前記ベース体が組み合わされることで、該伝達部材が前後、左右および上下方向にて位置決めされ、該駆動アクチュエータの本体が上下方向にて位置決めされ、かつ前記プランジャが前記ベース体の底壁に当接することで該プランジャの原位置が規定される請求項２または３に記載の遊技機用可変入賞装置。
【請求項５】
前記ベース体と前記蓋体には、互いが組み合わされたときに係合可能な凸部と凹部が設けられており、該凸部と該凹部との係合により該ベース体と該蓋体とが仮固定される請求項２ないし４のいずれか１項に記載の遊技機用可変入賞装置。
【請求項６】
前記ベース体の底壁は、開状態にある該回動翼片の間を通って入賞した遊技球を検出する検出スイッチを載置可能とされ、かつ前記検出スイッチの配線を収容するための配線収容溝を有する請求項２ないし５のいずれか１項に記載の遊技機用可変入賞装置。
【請求項７】
請求項１ないし６のいずれか１項に記載の遊技機用可変入賞装置を備えることを特徴とする遊技機。
【発明の詳細な説明】
【技術分野】
【０００１】
本発明は、遊技機用可変入賞装置およびそれを用いた遊技機に関し、特に前方側ユニットと後方側ユニットを備えた遊技機用可変入賞装置、およびその遊技機用可変入賞装置を用いた遊技機に関する。
【背景技術】
【０００２】
この種の遊技機用可変入賞装置として、例えば下記特許文献１に記載されているように、前方側ユニットが、遊技機の遊技盤に固定される取着板（台板）と、この取着板に遊技盤と交差する軸線回りに回動可能に支持されて遊技球の入球のし易さを可変させる羽根（回動翼片）とを含んで構成され、この前方側ユニットに、裏樋部（ハウジング）、アクチュエータ（駆動アクチュエータ）およびクランク（伝達部材）で構成される後方側ユニットが一体的に結合されるものが知られている。この特許文献１に記載された遊技機用可変入賞装置では、アクチュエータが裏樋部の固定部にて縦置きに固定される。このため、アクチュエータが横置きに固定されるタイプのものに比べて、裏樋部の上下寸法を小さく設定できるという利点を有する。
【先行技術文献】
【特許文献】
【０００３】
【特許文献１】特開２００９−４５３００号公報
【発明の概要】
【発明が解決しようとする課題】
【０００４】
しかしながら、上記特許文献１に記載された遊技機用可変入賞装置は、後方側ユニットの単体でアクチュエータからのプランジャの抜け落ちを防止できる構成とはされていないので、クランクの受け部をプランジャの作動部に連結させる場合等に、プランジャがアクチュエータから抜け落ちるおそれがあり、組付作業性が悪いという問題がある。また、クランクが裏樋部の外側に配置される構成とされているので、後方側ユニットと前方側ユニットとを結合する場合等に、クランクが裏樋部から外れるおそれがあり、後方側ユニット単体での取り扱いが不便であるという問題もある。
【０００５】
本発明は、上記課題を解決するためになされたものであり、その目的は、組付作業性が良く、ハウジングの上下寸法を小さく（薄く）することができ、しかも後方側ユニット単体での取り扱いも良好な遊技機用可変入賞装置およびそれを用いた遊技機を提供することにある。
【課題を解決するための手段および発明の効果】
【０００６】
上記課題を解決するために本発明の遊技機用可変入賞装置は、遊技機の遊技盤に固定される台板と、台板の前方に遊技盤と交差する軸線回りに回動可能に支持されて遊技球の入球のし易さを可変させる一対の回動翼片とを有する前方側ユニットと、前方側ユニットの後方に一体的に取り付けられる後方側ユニットとを備えた遊技機用可変入賞装置において、後方側ユニットは、直線移動可能なプランジャを有する駆動アクチュエータと、回動翼片とプランジャとを連結し、プランジャの直線移動を回動翼片の回転移動に変換しつつ駆動アクチュエータの駆動力を回動翼片へ伝達する伝達部材と、駆動アクチュエータおよび伝達部材を収容するハウジングとを備え、ハウジングは、ベース体と、ベース体の上部を覆う蓋体とを上下に組み合わせてなり、ベース体および蓋体のうちの一方にプランジャが上下方向に直線移動可能となるよう駆動アクチュエータが縦置きに配置され、伝達部材がプランジャに連結された状態でベース体および蓋体のうちの他方が組み合わされることにより、駆動アクチュエータおよび伝達部材がそれぞれハウジング内の予め定められた位置に配置されることを特徴とする。
【０００７】
この遊技機用可変入賞装置では、後方側ユニットが駆動アクチュエータおよび伝達部材を収容するハウジングを備えている。ハウジングは、ベース体と、そのベース体の上部を覆う蓋体とを上下に組み合わせてなる。後方側ユニットを組み立てるには、ベース体および蓋体のうちの一方にプランジャが上下方向に直線移動可能となるよう駆動アクチュエータを縦置きに配置し、プランジャに伝達部材を連結させる。ベース体および蓋体のうちの一方に駆動アクチュエータと伝達部材を組み込んだ後、ベース体および蓋体のうちの他方を組み合わせる。
【０００８】
このように、後方側ユニットの構成部品であるハウジングを、ベース体と蓋体との上下組み合わせ構造としたので、後方側ユニットの組み立てに際して、ベース体および蓋体のうちの一方に駆動アクチュエータと伝達部材を組み込んだ後に、ベース体および蓋体のうちの他方を組み合わせればよく、後方側ユニットを容易に組み立てることができる。また、駆動アクチュエータと伝達部材がハウジング内にてそれぞれの収容位置に配置されるので、前方側ユニットとの取付けに際して、後方側ユニットを楽に取り扱うことができる。そして、ハウジング内では、駆動アクチュエータが縦置きに配置、すなわち駆動アクチュエータを伝達部材の後方に配置することができるので、少なくとも伝達部材が収容されるハウジングの上下寸法を小さくすることができる。
【０００９】
本発明の実施に際して、前方側ユニットには、回動翼片を含んで構成される入賞口が設けられ、その入賞口に対応してベース体には、入賞した遊技球をベース体の外部へ排出するための排出部が形成されており、蓋体の内側部には、ベース体と組み合わされる前の蓋体をその外側部が下側に、その内側部が上側に位置するように配置した状態で、プランジャを上側とした駆動アクチュエータの本体を収容する収容部が設けられており、駆動アクチュエータの本体が収容部に収容されることで、前後および左右方向にて位置決めされる構成であるとよい。
【００１０】
これによれば、蓋体の内側部に設けられた収容部に、プランジャを上側として駆動アクチュエータの本体を収容することができる。この収容部には、駆動アクチュエータの本体を上方または後方から組み込むように構成することができる。このように、駆動アクチュエータの蓋体への組込みに際しては、プランジャを上側として駆動アクチュエータの本体を最初に位置決めすることができるので、駆動アクチュエータの本体からプランジャが抜け落ちることを防止でき、組付作業性を向上させることができる。
【００１１】
この場合、蓋体の内側部には、収容部に収容された駆動アクチュエータのプランジャに伝達部材を連結させた状態で、伝達部材の前後方向の移動を規制する移動規制部が設けられていると好適である。
【００１２】
伝達部材の前後方向の移動が移動規制部によって規制される構成とすれば、伝達部材が単独で滑り落ち難くなるので、蓋体を傾けた場合でもプランジャと伝達部材との連結状態を良好に保つことができる。
【００１３】
また、駆動アクチュエータおよび伝達部材が組み込まれた蓋体にベース体が組み合わされることで、伝達部材が前後、左右および上下方向にて位置決めされ、駆動アクチュエータの本体が上下方向にて位置決めされ、かつプランジャがベース体の底壁に当接することでプランジャの原位置が規定される構成であるとよい。
【００１４】
蓋体の内側部に駆動アクチュエータの本体を収容する収容部を設ける構成とした場合、蓋体が上側に位置しベース体が下側に位置する通常の使用状態では、駆動アクチュエータの本体が上側に位置し、プランジャが下側に位置するようになる。したがって、プランジャの動作を規制するものがなければ、プランジャが自重により駆動アクチュエータの本体から抜け落ちてしまう。しかし、駆動アクチュエータがハウジング内に収容される構成であれば、プランジャがベース体の底壁に当接可能となり、底壁に当接することでプランジャの原位置が規定されるように構成することができる。これにより、駆動アクチュエータの本体からのプランジャの落下を防止するための部材や、プランジャの原位置を規定するための部材を設けなくて済むので、部品点数を削減でき、ハウジングの構造を簡素化することができる。
【００１５】
また、ベース体と蓋体には、互いが組み合わされたときに係合可能な凸部と凹部が設けられており、凸部と凹部との係合によりベース体と蓋体とが仮固定される構成であるとよい。
【００１６】
ベース体と蓋体が、凸部と凹部との係合により仮固定されるように構成すれば、仮固定状態でベース体と蓋体との離脱を抑止することができるので、後方側ユニットの取り扱いをより一層楽にすることができる。
【００１７】
また、ベース体の底壁は、開状態にある回動翼片の間を通って入賞した遊技球を検出する検出スイッチを載置可能とされ、かつ検出スイッチの配線を収容するための配線収容溝を有する構成であるとよい。
【００１８】
ベース体の底壁が、入賞した遊技球を検出する検出スイッチを載置可能であれば、ベース体を含むハウジングの内部構造を簡素化することができる。また、ベース体の底壁が、検出スイッチの配線を収容するための配線収容溝を有するものであれば、配線に要するスペースを予め設定しなくて済むので、入賞装置全体をより一層コンパクトに構成することができる。
【００１９】
また、上記課題を解決するために本発明の遊技機は、上記した遊技機用可変入賞装置を備えることを特徴とする。
【００２０】
これによれば、上記した遊技機用可変入賞装置を遊技機の遊技盤に固定配置することで、遊技盤の他の役物の配置スペースを良好に確保することができる。また、通常の使用状態でプランジャが下向きに配置されるとともに、そのプランジャと伝達部材がベース体に収納される遊技機用可変入賞装置においては、ハウジングの外部からプランジャまたは伝達部材に対して直接上方へ移動させる外力を作用させることが不可能であるため、このような外力による不正行為を有効的に防止することができる。
【図面の簡単な説明】
【００２１】
【図１】本発明に係る遊技機用可変入賞装置を備えた遊技機の一例を示す正面図。
【図２】図１に示した遊技機用可変入賞装置が閉鎖状態にあるときの斜視図。
【図３】（ａ）は図２に示した遊技機用可変入賞装置の正面図。（ｂ）は（ａ）のＡ−Ａ中心断面図。
【図４】図２に示した遊技機用可変入賞装置を前方側ユニットと後方側ユニットに分離して示す分解斜視図。
【図５】図４に示した前方側ユニットと後方側ユニットの分解斜視図。
【図６】図４に示した後方側ユニットの組付け説明図。
【図７】（ａ），（ｂ）は図４に示した後方側ユニットの組付け説明図。（ｃ）は組付けが完了した遊技機用可変入賞装置における図３（ａ）のＢ−Ｂ断面図。（ｄ）は（ｃ）の要部拡大図。
【図８】（ａ）は図２に示した遊技機用可変入賞装置の駆動系の要部を示す斜視図。（ｂ）は（ａ）の側面図。
【図９】（ａ）は図８に示した遊技機用可変入賞装置が開放状態にあるときの斜視図。（ｂ）は（ａ）の側面図。
【図１０】（ａ）は図２に示した遊技機用可変入賞装置において配線の引き回し状態を含めて示す側面図。（ｂ）は（ａ）の底面図。
【発明を実施するための形態】
【００２２】
以下、本発明の実施の形態について図面を用いて説明する。
【実施例】
【００２３】
図１に示すように、遊技機１における遊技盤２の盤面２ａには、円形の遊技領域が形成されており、この遊技領域は外周縁に沿って形成される円弧状のレール２ｂによって区画されている。盤面２ａの中央には液晶表示部３が搭載され、液晶表示部３の下方（盤面２ａの中央下部）には入賞扉４ａによって形成される大入賞口４（アタッカー）が配置されている。液晶表示部３と大入賞口４との間には、始動入賞口である電動チューリップ（電チュー）と称される遊技機用可変入賞装置（以下、入賞装置と略称する）５が配置されている。
【００２４】
なお、本明細書において、上下とは遊技盤２の盤面２ａに沿う態様で遊技球が流下する方向（鉛直方向）を意味する。また、左右とは遊技盤２の盤面２ａに沿う態様で上下と直交する方向（水平方向）を意味する。また、前後とは遊技盤の盤面２ａに直交する方向（水平方向）を意味し、盤面２ａの前側（遊技者側）が前方側であり、盤面２ａの後側（奥側）が後方側である。
【００２５】
図２〜図５に示すように、入賞装置５は、前方側ユニットＦＵと、この前方側ユニットＦＵに一体的に取り付けられる後方側ユニットＲＵとで構成されている。前方側ユニットＦＵは、台板１０、前側装飾部材２０および一対の回動翼片３０，３０を備えており、後方側ユニットＲＵは、ソレノイド４０、伝達部材５０およびハウジング６０を備えている。そして、図３（ｂ）および図４に示すように、台板１０と、ハウジング６０を構成するベース体６１とにより、近接スイッチ７０（本発明の検出スイッチに相当）が前後に挟み込まれて保持されるようになっている。
【００２６】
台板１０は、その後部にて遊技盤２の盤面２ａに取り付けられ（図１参照）、ハウジング６０に取り付けられる。台板１０の前部には、上下一対の上部入賞口１１と下部入賞口１２とが形成されている。上部入賞口１１は、常に開放状態（入賞可能状態）にある始動入賞口である。この上部入賞口１１には、入賞した遊技球を円滑に後方へ誘導するための誘導リブ１１ａが一体形成されている（図３（ｂ）参照）。下部入賞口１２は、前側装飾部材２０および各回動翼片３０を含んで構成され、各回動翼片３０の閉位置に対応して閉鎖状態となり、開位置に対応して開放状態となる始動入賞口である。
【００２７】
台板１０には、下部入賞口１２に対応して前後に貫通する通過孔１３と樋１４が形成され、各回動翼片３０の係合突部３２に対応して突部用長孔１５が形成されている（図４、図５参照）。樋１４は、通過孔１３の周縁下部から後方へ延設されており、下部入賞口１２に入賞して通過孔１３に導入された遊技球をハウジング６０内へ誘導する。突部用長孔１５は、各回動翼片３０の係合突部３２を台板１０の後方へ突出させるとともに、各係合突部３２が各回動翼片３０の支持ピン３１回りに回動できるよう円弧状に形成されている。
【００２８】
また、台板１０には、樋１４の下方にて樋１４の底壁と協働して近接スイッチ７０を挟持するための挟持壁１６が後方へ延設されている。すなわち、近接スイッチ７０がその検出孔７１を後方側とし、配線７２（図１０参照）を前方側とした状態で、樋１４の底壁と挟持壁１６とにより挟み込まれるようになっている。樋１４の底壁には、樋１４の終端に達した遊技球が近接スイッチ７０の検出孔７１内へ確実に転がり落ちるよう、近接スイッチ７０の検出孔７１の周縁に沿う円弧状の切欠部１４ａが形成されている。
【００２９】
また、前方から見て樋１４の左側面には、台板１０の後部を基端として後方へ延び出す配線案内壁１７が設けられている（図４、図５参照）。配線案内壁１７は、挟持壁１６の左端面との間に所定大きさの隙間１８が形成されるように配置されており、その隙間１８を通して近接スイッチ７０の配線７２が下方へ案内されるようになっている（図１０参照）。
【００３０】
また、台板１０には、左右一対の円筒状の取付部１９，１９が後方へ突設されている。台板１０は、各取付部１９と、後述するベース体６１の取付フランジ部６３ａと、蓋体８１の取付フランジ部８３ｃとが前後に重ね合わされた状態で、ビス９１（例えば２本）によりねじ結合される（図４、図５参照）。
【００３１】
前側装飾部材２０は、図５に示すように、各回動翼片３０を開位置に保持するための傾斜部２１と、閉位置に保持するためのストッパリブ２２とを備えており、その後部にてビス９２（例えば２本）により台板１０の前部に取り付けられている。また、前側装飾部材２０には、入賞した遊技球を円滑に後方へ誘導するために、誘導リブ２３が一体形成されている。
【００３２】
各回動翼片３０は、台板１０と前側装飾部材２０との間に前後に架け渡された支持ピン３１により軸線Ｏ１（第１軸線）回りに回動可能に支持されている。各回動翼片３０は、支持ピン３１よりも外側の部位にて台板１０の突部用長孔１５を通して台板１０の後方へ突出する丸軸状の係合突部３２を備えている。
【００３３】
各回動翼片３０の係合突部３２は、伝達部材５０から作用を受ける回動翼片３０の被作用部としての機能を果たしている。すなわち、伝達部材５０から係合突部３２に対して上方への力が作用した場合には各回動翼片３０が軸線Ｏ１回りに互いに接近する方向（内方）に付勢され（図８参照）、下方への力が作用した場合には各回動翼片３０が軸線Ｏ１回りに互いに離間する方向（外方）に付勢される（図９参照）。そして、各回動翼片３０は、前側装飾部材２０のストッパリブ２２に当接することで閉位置に保持され、傾斜部２１に当接することで開位置に保持される。
【００３４】
ソレノイド４０（本発明の駆動アクチュエータに相当）は、図３（ｂ）および図５に示すように、配線４１ａ（図１０参照）を有するコイル部４１（本発明の駆動アクチュエータの本体に相当）、プランジャ４２、およびコイル部４１の左右前後を囲う金属製のケース４３（本発明の駆動アクチュエータの本体に相当）を備えてなり、コイル部４１への通電により発生する電磁力によってプランジャ４２が上下方向に直線移動する。
【００３５】
具体的には、プランジャ４２の下端部には、上下に一対のフランジ部４２ａ，４２ａ（プランジャの作用部）が設けられ、上方側のフランジ部４２ａとケース４３との間には圧縮コイルばね４４が介装されており、プランジャ４２が圧縮コイルばね４４を圧縮しつつコイル部４１内へ引き込まれるようになっている（図８、図９参照）。すなわち、プランジャ４２は、コイル部４１の通電解除状態では圧縮コイルばね４４の付勢力により下方へ押し出された原位置（前進位置、突出位置）にあり、コイル部４１の通電状態では圧縮コイルばね４４の付勢力に抗して上方のコイル部４１内へ引き込まれた作用位置（後退位置）に移動する。
【００３６】
伝達部材５０は、図５、図８および図９に示すように、一対のアーム５１，５１と、各アーム５１の中間部を連結する架橋部５２とを一体に備えており、架橋部５２のほぼ横位置から外向きに突設された一対の支持軸部５３を介してハウジング６０に軸線Ｏ１と直交する軸線Ｏ２（第２軸線）回りに回動可能に支持されている。
【００３７】
各アーム５１は、架橋部５２を間にしてその前後にそれぞれ前方アーム部５１ａと後方アーム部５１ｂとを有している。前方アーム部５１ａは、後方アーム部５１ｂに比べて前後および左右長さ（幅寸法）がいずれも長く設定されている。各前方アーム部５１ａの前端には、各回動翼片３０の係合突部３２と係合可能な二股状の作用部５１ａ１が前向きに突設されている。各後方アーム部５１ｂの後部には、プランジャ４２のフランジ部４２ａと係合可能な丸軸状の係合突部５１ｂ１（被作用部）が内向きに突設されている。
【００３８】
ハウジング６０は、ソレノイド４０、伝達部材５０および近接スイッチ７０を収容するものであり、図３（ｂ）、図５および図６に示すように、一体結合可能なベース体６１と蓋体８１とで構成されている。最初に、ベース体６１について説明する。
【００３９】
ベース体６１は、上方および前方が開口した容器状に形成されており、底壁６２、左右側壁６３，６３、後側壁６４、および底壁６２を前後に区画する段部６５を一体に備えている。底壁６２は、段部６５により後方底壁６２ａと前方底壁６２ｂとに区画されている。
【００４０】
後方底壁６２ａには、ソレノイド４０が載置される。すなわち、ソレノイド４０は、プランジャ４２が後方底壁６２ａと対向するよう、コイル部４１およびケース４３が上側、プランジャ４２が下側となるように配置され、プランジャ４２が後方底壁６２ａに当接することで、プランジャ４２の原位置が規定されるようになっている。
【００４１】
前方底壁６２ｂには、近接スイッチ７０が載置される。すなわち、近接スイッチ７０は、段部６５に当接することで、後方への移動を規制された状態で前方底壁６２ｂの内側面に載置される。前方底壁６２ｂには、載置された近接スイッチ７０の検出孔７１に対応してその検出孔７１を通過した遊技球を外側へ排出するための排出孔６２ｃ（本発明の排出部に相当）が形成されている。また、前方底壁６２ｂの外側部には、台板１０の隙間１８から外側に放出された近接スイッチ７０の配線７２を前方底壁６２ｂの外側面から飛び出さないように収容しつつ、前方から見て左方の側壁６３に向けて斜め後方へ案内する配線収容溝６２ｄが形成されている（図１０参照）。
【００４２】
後側壁６４には、その上端面の中間部位にて上方へ突出した左右一対の段状の係止部６４ａ，６４ａと、各係止部６４ａの後面に連結されて後側壁６４の後面とほぼ同一の鉛直面上に位置する平面部を有する係止部６４ｂとが形成されている。ソレノイド４０のケース４３は、各係止部６４ａに係止されることで上下方向の移動が規制され、係止部６４ｂに係止されることで後方への移動が規制される。
【００４３】
段部６５には、前方底壁６２ｂに載置された近接スイッチ７０の後部上面に係止して近接スイッチ７０の上方への移動を規制する係止部６５ａが形成されるとともに、近接スイッチ７０の左右面に係止して近接スイッチ７０の左右への移動を規制する左右一対の係止部６５ｂ，６５ｂが形成されている。
【００４４】
各左右側壁６３は、前部が後部よりも内幅が広くなるような段付き形状に形成されており、その前端にはそれぞれ左右外方へ延び出す取付フランジ部６３ａが連結され、その後部には上下に延びるビス穴を有し側壁６３の上端面よりも若干量だけ上方へ突出した円筒状の取付部６３ｂが形成され、その中間部には伝達部材５０の支持軸部５３を回動可能に支持するための切欠部６３ｃが形成されている。各取付フランジ部６３ａには、ビス穴に加えて、後述する蓋体８１における取付フランジ部８３ｃの係合突起８３ｃ１と係合可能な係合孔６３ａ１（本発明の凹部に相当）が形成されている。
【００４５】
また、前方から見て左方の側壁６３の中間部には、ソレノイド４０の配線４１ａと近接スイッチ７０の配線７２とを束ねた結束バンド１０１を括り付けるための取付フランジ部６３ｄが形成されている（図１０参照）。
【００４６】
次に、蓋体８１について説明する。蓋体８１は、図３（ｂ）および図５に示すように、下方、前方および後方が開口した容器状に形成されており、天井壁８２、左右側壁８３，８３、および各左右側壁８３を前後に区画する中間壁８４を一体に備えている。
【００４７】
各左右側壁８３は、中間壁８４により後方側壁８３ａと前方側壁８３ｂとに区画されている。両後方側壁８３ａ，８３ａの内幅寸法は、両前方側壁８３ｂ，８３ｂの内幅寸法に比べて小さく設定されており、各後方側壁８３ａの下端にはそれぞれ左右外方へ延び出す底壁８５が連結され、また、各後方側壁８３ａの上端と後端とに渡って断面Ｌ字状の架橋壁８６が連結されている。
【００４８】
両後方側壁８３ａ，８３ａの内幅寸法は、ソレノイド４０のケース４３の左右外幅寸法とほぼ同じ長さに設定され、中間壁８４と架橋壁８６間の内幅寸法は、ソレノイド４０のケース４３の前後外幅寸法とほぼ同じ長さに設定されている。そして、ソレノイド４０のコイル部４１およびケース４３が、各後方側壁８３ａ、中間壁８４および架橋壁８６で形成されるスペースに縦置きで収容される。すなわち、各後方側壁８３ａ、中間壁８４および架橋壁８６は、コイル部４１およびケース４３を収容する収容部としての機能を果たしており、コイル部４１およびケース４３が各後方側壁８３ａ、中間壁８４および架橋壁８６で形成されるスペースに収容されることで、前後および左右方向にて位置決めされるようになっている。
【００４９】
天井壁８２の外側部には、蓋体８１を正面から見た場合、後方へ向けて直線状に延び出し、中間壁８４の手前で右方へ曲がってそのまま直線状に延び出す樋８２ａが形成されている。樋８２ａは、台板１０の上部入賞口１１に入賞した遊技球をハウジング６０外の所定位置に設けられる近接スイッチ（図示省略）へ誘導する。
【００５０】
天井壁８２の内側部には、台板１０の下部入賞口１２に入賞した遊技球を近接スイッチ７０の検出孔７１へ誘導する誘導リブ８２ｂが形成されている。誘導リブ８２ｂは、中間壁８４から所定距離隔てた位置に設けられており、伝達部材５０の架橋部５２が誘導リブ８２ｂと中間壁８４との間のスペースに収容されるようになっている。誘導リブ８２ｂおよび中間壁８４は、伝達部材５０の前後の移動を規制する移動規制部としての機能を果たす。
【００５１】
各前方側壁８３ｂは、ベース体６１の各左右側壁６３の上面と一致するよう、前部が後部よりも内幅が広くなるような段付き形状に形成されており、その前端にはそれぞれ左右外方へ延び出す取付フランジ部８３ｃが連結されている（図６参照）。各取付フランジ部８３ｃは、ベース体６１の各取付フランジ部６３ａの後面に重ね合わされた状態で、ビス９１によりねじ結合される。また、各取付フランジ部８３ｃには、ベース体６１の各取付フランジ部６３ａの係合孔６３ａ１と係合可能な係合突起８３ｃ１（本発明の凸部に相当）が形成されている（図６参照）。各係合突起８３ｃ１は、ベース体６１の各取付フランジ部６３ａとの上下方向の摺動後に係合孔６３ａ１と係合できるよう円柱体を斜めに切断したかの形状に形成されている。
【００５２】
各底壁８５には、ベース体６１の各取付部６３ｂを嵌め入れ可能な穴部８５ａ１を有する取付フランジ部８５ａが形成されている（図６参照）。各取付フランジ部８５ａは、穴部８５ａ１にベース体６１の各取付部６３ｂが嵌め入れられた状態で、ビス９３によりねじ結合される。
【００５３】
次に、上記のように構成した入賞装置５を組み付ける工程について説明する。前方側ユニットＦＵにおいては、図４に示すように、台板１０に、前側装飾部材２０および一対の回動翼片３０，３０を組み付けておく。
【００５４】
後方側ユニットＲＵにおいては、図６および図７（ａ）に示すように、まず、蓋体８１を組付完成状態での配置（図４参照）に対して上下に反転させる。すなわち、蓋体８１をその外側部が下側に、その内側部が上側に位置するように配置する。次に、ソレノイド４０のコイル部４１およびケース４３を、プランジャ４２を上側にして各後方側壁８３ａ、中間壁８４および架橋壁８６で形成されるスペースに上方から組み込む。これにより、ソレノイド４０が前後および左右方向にて位置決めされる。
【００５５】
次に、伝達部材５０を組付け完成状態での配置（図５参照）に対して上下に反転させ、係合突部５１ｂ１をプランジャ４２の両フランジ部４２ａ，４２ａに前方側あるいは後方側から係合させつつ、架橋部５２を蓋体８１の誘導リブ８２ｂと中間壁８４との間のスペースに収容する。伝達部材５０を蓋体８１に組み込んだ状態では、支持軸部５３が前方側壁８３ｂの下端面に載置されるとともに、前方アーム部５１ａおよび架橋部５２が天井壁８２の裏面に載置されるようになる。
【００５６】
この状態で、蓋体８１をその前方側が後方側よりも低くなるように傾けると、伝達部材５０が前方側へスライド移動するが、架橋部５２が蓋体８１の誘導リブ８２ｂに当接することで前方への移動が規制される。また、蓋体８１をその後方側が前方側よりも低くなるように傾けると、後方側アーム部５１ｂが蓋体８１の中間壁８４に当接することで後方への移動が規制される。なお、蓋体８１を左右に傾けた場合には、前方側アーム部５１ａが前方側壁８３ｂに当接することで左右方向への移動が規制される。これにより、伝達部材５０の係合突部５１ｂ１とプランジャ４２の両フランジ部４２ａ，４２ａとの係合状態が良好に保たれる。
【００５７】
次に、ソレノイド４０および伝達部材５０が組み込まれた蓋体８１にベース体６１を組み合わせる。具体的には、図７（ｂ）に示すように、ベース体６１における後側壁６４の各係止部６４ａと係止部６４ｂをそれぞれソレノイド４０のケース４３に係止させ、各係止部位を支点としてベース体６１を下方へ回動させる。このように、ソレノイド４０側の係止部位をベース体６１の回動支点とするので、組付け時にベース体６１の後方底壁６２ａがプランジャ４２に接触し、プランジャ４２と伝達部材５０の係合状態を解消してしまうという不具合を軽減できる。
【００５８】
ベース体６１の回動に伴って、各左右側壁６３の取付部６３ｂが蓋体８１における各取付フランジ部８５ａの穴部８５ａ１に嵌まり込み、各左右側壁６３の切欠部６３ｃが伝達部材５０の支持軸部５３に係合する。そして、図７（ｄ）に示すように、各取付フランジ部８３ｃの係合突起８３ｃ１が蓋体８１の各取付フランジ部６３ａとの摺動後に係合孔６３ａ１に係合することで、蓋体８１とベース体６１が仮固定される。この仮固定により、伝達部材５０は前後、左右および上下方向にて位置決めされ、ソレノイド４０は前後および左右に加えて、上下方向にて位置決めされるようになる。
【００５９】
仮固定された状態の蓋体８１およびベース体６１を上下に反転させ、ベース体６１の各取付部６３ｂと蓋体８１の各取付フランジ部８５ａとをビス９３によりねじ結合すれば、後方側ユニットＲＵの組付けが完了する（図４参照）。このように、ビス９３を蓋体８１側から結合することで、ソレノイド４０の可動によりビス９３が仮に緩んだとしても、ビス９３の脱落を防止でき、ひいてはビス９３の脱落に起因する後方側ユニットＲＵの分解（分裂）等の不具合を防止できる。
【００６０】
後方側ユニットＲＵの組付けが完了した状態では、ソレノイド４０のプランジャ４２がベース体６１の後方底壁６２ａに当接して、プランジャ４２が原位置にある（図８（ｂ）参照）。このため、前方側ユニットＦＵにおいて各回動翼片３０を閉位置に移動させた状態として、台板１０の各取付部１９と、ベース体６１の各取付フランジ部６３ａとのビス穴が一致するように、前方側ユニットＦＵと後方側ユニットＲＵとを付き合わせると、伝達部材５０の各作用部５１ａ１が各回動翼片３０の係合突部３２に係合するようになる。
【００６１】
したがって、図４に示すように、前方側ユニットＦＵと後方側ユニットＲＵとの間に近接スイッチ７０を挟み込ませるとともに、台板１０の挟持壁１６とベース体６１の底壁６２とを付き合わせ、蓋体８１の各取付フランジ部８３ｃ、ベース体６１の各取付フランジ部６３ａおよび台板１０の各取付部１９をビス９１によりねじ結合すれば、後方側ユニットＲＵが前方側ユニットＦＵと一体化される（図２、図７（ｃ）参照）。
【００６２】
最後に、図１０に示すように、近接スイッチ７０の配線７２がベース体６１における底壁６２の配線収容溝６２ｄからはみ出さないように配線７２にテンションを加えつつ、ソレノイド４０の配線４１ａと束ね合わせて結束バンド１０１によりベース体６１の取付フランジ部６３ｄに括り付ければ、入賞装置５が完成する。
【００６３】
なお、蓋体８１に対するベース体６１の組み合わせ方は、図７に示した手法に限らず、例えば最初に蓋体８１における各取付フランジ部８３ｃの係合突起８３ｃ１にベース体６１における取付フランジ部６３ａの係合孔６３ａ１を係合させ、その係合部位を支点としてベース体６１を下方へ回動させるようにしてもよい。また、蓋体８１の係合突起８３ｃ１とベース体６１の各取付フランジ部６３ａとは摺動可能とされているため、蓋体８１における各左右側壁８３および底壁８５の下面と、ベース体６１における各左右側壁６３および後側壁６４の上面とを上下に付き合わせるようにしても、蓋体８１とベース体６１とを仮固定することができる。
【００６４】
次に、図８および図９を用いて、上記のように構成された入賞装置５の動作について説明する。なお、図８および図９には、各回動翼片３０が伝達部材５０を介してソレノイド４０（圧縮コイルばね４４は省略）に連結されている駆動系の要部のみが示されている。
【００６５】
ソレノイド４０のコイル部４１が通電解除状態になると、図９に示す作用位置にあるプランジャ４２が図８に示す原位置に向けて移動する。プランジャ４２の下方への移動に伴って、伝達部材５０の各アーム５１は支持軸部５３を回転中心として図９（ｂ）にて反時計回りに回動する。各アーム５１の作用部５１ａ１は各回動翼片３０の係合突部３２を押し上げ、各回動翼片３０を軸線Ｏ１回り（支持ピン３１回り）に互いに接近する方向に回動させる。プランジャ４２がベース体６１の後方底壁６２ａに当接した状態（原位置に達した状態）では、各回動翼片３０が閉位置にある。
【００６６】
一方、コイル部４１が通電状態になると、図８に示す原位置にあるプランジャ４２が図９に示す作用位置に向けて移動する。プランジャ４２の上方への移動に伴って、各アーム５１が支持軸部５３を回転中心として図８（ｂ）にて時計回りに回動する。各アーム５１の作用部５１ａ１は各回動翼片３０の係合突部３２を押し下げ、各回動翼片３０を軸線Ｏ１回り（支持ピン３１回り）に互いに離間する方向に回動させる。プランジャ４２が作用位置に達した状態では、各回動翼片３０が開位置にある。
【００６７】
以上の説明からも明らかなように、この実施例では、後方側ユニットＲＵの構成部品であるハウジング６０を、ベース体６１と蓋体８１との上下組み合わせ構造としたので、後方側ユニットＲＵの組み立てに際して、蓋体８１にソレノイド４０と伝達部材５０を組み込んだ後に、ベース体６１を組み合わせればよく、後方側ユニットＲＵを容易に組み立てることができる。また、ソレノイド４０と伝達部材５０がハウジング６０内にてそれぞれの収容位置に配置されるので、前方側ユニットＦＵとの取付けに際して、後方側ユニットＲＵを楽に取り扱うことができる。そして、ハウジング６０内では、ソレノイド４０が縦置きに配置、すなわちソレノイド４０を伝達部材５０の後方に配置することができるので、少なくとも伝達部材５０が収容されるハウジング６０の上下寸法を小さくすることができる。
【００６８】
特に、この実施例では、通常の使用状態でプランジャ４２が下向きに配置されるとともに、そのプランジャ４２と伝達部材５０がベース体６１に収納されるので、ハウジング６０の外部からプランジャ４２または伝達部材５０に対して直接上方へ移動させる外力を作用させることが不可能になる。これにより、外力による不正行為を有効的に防止することができる。
【００６９】
また、この実施例では、蓋体８１の内側部において各後方側壁８３ａ、中間壁８４および架橋壁８６で形成されるスペースに、プランジャ４２を上側としてソレノイド４０のコイル部４１およびケース４３を収納することができる。このスペースには、コイル部４１およびケース４３を上方から組み込むことができる。このように、ソレノイド４０の蓋体８１への組込みに際しては、プランジャ４２を上側としてコイル部４１およびケース４３を最初に位置決めすることができるので、プランジャ４２がコイル部４１から抜け落ちることが防止され、組付作業性が向上する。
【００７０】
また、この実施例では、蓋体８１に組み込まれた伝達部材５０の前後方向の移動が、誘導リブ８２ｂと中間壁８４によって規制されるようになっている。これにより、蓋体８１を前後に傾けた場合でも、伝達部材５０が蓋体８１の内部で滑り落ちることが防止され、プランジャ４２と伝達部材５０との連結状態が良好に保たれる。
【００７１】
また、この実施例では、ソレノイド４０がハウジング６０内に収容されているため、プランジャ４２がベース体６１の後方底壁６２ａに当接可能であり、後方底壁６２ａに当接することで原位置が規定されるようになっている。これにより、コイル部４１からのプランジャ４２の落下を防止するための部材や、プランジャ４２の原位置を規定するための部材を設けなくて済むので、部品点数を削減でき、ハウジング６０の構造を簡素化することができる。
【００７２】
また、この実施例では、ベース体６１における各左右側壁６３の取付フランジ部６３ａに形成された係合孔６３ａ１と、蓋体８１における各前方側壁８３ｂの取付フランジ部８３ｃに形成された係合突起８３ｃ１とが係合可能とされており、ベース体６１と蓋体８１が、係合孔６３ａ１と係合突起８３ｃ１との係合により仮固定されるようになっている。これにより、仮固定状態でベース体６１と蓋体８１との離脱を抑止することができるので、後方側ユニットＲＵの取り扱いがより一層楽になる。
【００７３】
また、この実施例では、ベース体６１の前方底壁６２ｂに近接スイッチ７０が載置可能とされ、ベース体６１の前方底壁６２ｂには、近接スイッチ７０の検出孔７１を通過した遊技球をベース体６１の外部へ排出するための排出孔６２ｃが形成されているので、ベース体６１を含むハウジング６０の内部構造を簡素化することができる。また、ベース体６１の前方底壁６２ｂには、近接スイッチ７０の配線７２を収容するための配線収容溝６２ｄが形成されている。これにより、配線７２に要するスペースを予め設定しなくて済み、入賞装置５全体がコンパクト化するので、遊技盤２の他の役物の配置スペースを良好に確保することができる。
【００７４】
なお、上記実施例では、蓋体８１をその外側部が下側に、その内側部が上側に位置するように配置した状態で、プランジャ４２を上側としてソレノイド４０を組み込むようにしたので、コイル部４１およびケース４３が最初に位置決めされ、プランジャ４２がコイル部４１から抜け落ちることが防止されて、組付作業性を向上させることができた。ただし、蓋体８１にソレノイド４０と伝達部材５０を組み込む方法に限らず、ベース体６１を通常の使用状態と同じ姿勢（図４参照）、すなわちベース体６１をその外側部が下側に、その内側部が上側に位置するように配置した状態で、このベース体６１の内部にソレノイド４０と伝達部材５０を組み込み、それらの組み込み後に蓋体８１を組み合わせるようにしてもよい。この場合、ベース体６１にソレノイド４０が組み込まれている状態では、コイル部４１およびケース４３がプランジャ４２を介してベース体６１の後方底壁６２ａに載置されることとなる。
【００７５】
また、上記実施例では、前方側ユニットＦＵに上下一対の上部入賞口１１と下部入賞口１２が設けられているタイプの入賞装置５に本発明を適用した場合について説明したが、入賞装置はこれに限らず、例えば上部入賞口が設けられていないタイプの入賞装置、すなわち蓋体の外側部に上部入賞口に対応した樋（誘導路）が設けられていないタイプの入賞装置や、上部入賞口は設けられているが常に開放状態（入賞可能状態）にあるものではなく、例えば下部入賞口に連動して閉鎖状態（入賞不能状態）になるタイプの入賞装置であってもよい。
【符号の説明】
【００７６】
１  遊技機
２  遊技盤
２ａ  盤面
５  入賞装置（遊技機用可変入賞装置）
ＦＵ  前方側ユニット
ＲＵ  後方側ユニット
１０  台板
１１  上部入賞口
１２  下部入賞口（入賞口）
１３  通過孔
１４  樋
１５  突部用長孔
１６  挟持壁
１７  配線案内壁
１８  隙間
１９  取付部
２０  前側装飾部材
２１  傾斜部
２２  ストッパリブ
３０  回動翼片
３１  支持ピン
３２  係合突部
４０  ソレノイド（駆動アクチュエータ）
４１  コイル部（駆動アクチュエータの本体）
４１ａ  配線
４２  プランジャ
４２ａ  フランジ部
４３  ケース（駆動アクチュエータの本体）
４４  圧縮コイルばね
５０  伝達部材
５１  アーム
５１ａ１  作用部
５１ｂ１  係合突部
５２  架橋部
５３  支持軸部
６０  ハウジング
６１  ベース体
６２  底壁
６２ａ  後方底壁
６２ｂ  前方底壁
６２ｃ  排出孔（排出部）
６２ｄ  配線収容溝
６３  左右側壁
６３ａ  取付フランジ部
６３ａ１  係合孔（凹部）
６３ｂ  取付部
６３ｃ  切欠部
６４  後側壁
６４ａ，６４ｂ  係止部
６５  段部
６５ａ，６５ｂ  係止部
７０  近接スイッチ（検出スイッチ）
７１  検出孔
７２  配線
８１  蓋体
８２  天井壁
８２ａ  樋
８２ｂ  誘導リブ（移動規制部）
８３  左右側壁
８３ａ  後方側壁（収容部）
８３ｂ  前方側壁
８３ｃ  取付フランジ部
８３ｃ１  係合突起（凸部）
８４  中間壁（収容部、移動規制部）
８５  底壁
８６  架橋壁（収容部）
９１〜９３  ビス
【図１】
2010268898.tif 000003
【図２】
2010268898.tif 000004
【図３】
2010268898.tif 000005
【図４】
2010268898.tif 000006
【図５】
2010268898.tif 000007
【図６】
2010268898.tif 000008
【図７】
2010268898.tif 000009
【図８】
2010268898.tif 000010
【図９】
2010268898.tif 000011
【図１０】
2010268898.tif 000012